(57)【要約】【課題】  操作つまみの視認性を向上させることによって操作性を向上させることができるガス調理器における火力調節装置を提供する。【解決手段】  火力調節装置１１は、コンロ本体２の前面パネル２ａ側から該コンロ本体２の内方に延び、該前面パネル２ａ側となる第１端部に操作つまみ１３が設けられ、コンロ本体２の内方側となる第２端部が絞り弁２４に揺動可能に連結されたアーム部を備えている。また、該アーム部１２における第２端部の近辺には、光源１５が設けられている。そして、アーム部１２の上面には、第１端部から第２端部にわたって、光源１５から発せられる光を導光して操作つまみ１３を発光させるライトガイド１４が設けられている。【選択図】      図３
2005331161.tif 000002
【特許請求の範囲】
【請求項１】
調理器本体の前面パネル側から操作可能に設けられ、調理器本体内のガス流路に設けられた絞り弁を操作して該ガスの流通量を調節することにより火力調節を行うガス調理器における火力調節装置であって、
前記前面パネル側から調理器本体の内方に延び、該前面パネル側となる第１端部に操作つまみが設けられ、調理器本体の内方側となる第２端部の近傍が前記絞り弁に揺動可能に連結されたアーム部と、
該アーム部における前記第２端部の近辺に設けられた光源と、
前記アーム部の両端部にわたって設けられ、前記光源から発せられる光を導光して前記操作つまみを発光させる透光性部材とを備えることを特徴とするガス調理器における火力調節装置。
【請求項２】
前記光源は、前記アーム部に固定され、該アーム部とともに揺動することを特徴とする請求項１に記載のガス調理器における火力調節装置。
【請求項３】
前記アーム部と前記透光性部材との間に、所定の間隙を設けたことを特徴とする請求項１または請求項２に記載のガス調理器における火力調節装置。
【請求項４】
前記透光性部材の光源側端に、光源を囲うように配置された曲面状の集光部を設けたことを特徴とする請求項１〜３のいずれか１項に記載のガス調理器における火力調節装置。
【発明の詳細な説明】
【技術分野】
【０００１】
本発明はガス調理器における火力調節装置に係り、詳しくは、調理器本体の前面パネルに配設された火力調節装置に関するものである。
【背景技術】
【０００２】
従来、例えば特許文献１に開示されるように、ガス調理器の前面パネルに、バーナの点火・消火を行うために押圧操作される点火操作部と、バーナの火力調節を行うための火力調節装置とが設けられたガス調理器が提案されている。この種の火力調節装置はレバー状をなし、前面パネルに露出する操作つまみが該前面パネルの上部に位置している。そして、該操作つまみを正面視で左右にスライド（揺動）させることにより、バーナの火力調節が可能となっている。
【０００３】
しかし、こうした火力調節装置では、特にキッチン周りが暗い場合には、操作つまみの位置や火力調節位置を視認しにくい。また、この種の火力調節装置として、消火状態において操作つまみが例えば強火位置や弱火位置にあったとしても、点火操作部による点火操作が行われると該操作つまみが強制的に中火位置に移動するものがよく知られている。こうした火力調節装置にあっては、火力調節位置をより認識しにくくなる。しかも、近年では、火力調節装置の誤操作防止の観点や、前面パネルの意匠性向上の観点から、操作つまみが前面パネルから突出しすぎないようにすることが要望されている。このため、操作者は、操作つまみの位置を把握しにくく、操作つまみを操作するために手探りで探したり、火力状態を把握するために屈んだ状態でバーナを視認したりする必要が生じてしまう。それゆえ、火力調節装置の操作性の向上が要望されている。
【０００４】
一方、例えば特許文献２に開示されるように、操作つまみを照明することにより、暗い場所でも操作つまみを視認しやすくする技術が提案されている。詳しくは、この特許文献２では、操作つまみに透光性部材を設け、光源からの光を採光板を介して透光性部材に照射することにより、該透光性部材を発光させる操作つまみが開示されている。
【０００５】
このため、こうした特許文献２に開示される技術をガス調理器の火力調節装置に適用することで、該火力調節装置の操作つまみを視認しやすくして操作性を向上させることが考えられる。
【特許文献１】特開平９−５３８２７号公報
【特許文献２】特開２００１−３０７５７５号公報
【発明の開示】
【発明が解決しようとする課題】
【０００６】
ところが、ガス調理器は調理器具であるため使用環境が悪く、噴霧状の油や鍋の噴きこぼれなどによる汚れが各所に付着しやすい。このため、特許文献２に開示されるような照明構造を採用した場合、採光板や操作つまみの裏側に汚れが付着すると、光源からの光が該汚れによって遮られてしまい、操作部が充分に照明されなくなってしまうおそれがある。よって、ガス調理器においては、こうした照明構造を採用することが困難である。その結果、操作つまみを発光させることによって火力調節装置の操作性を向上させることが困難であった。
【０００７】
本発明はこうした実情に鑑みてなされたものであり、その目的は、操作つまみの視認性を向上させることによって操作性を向上させることができるガス調理器における火力調節装置を提供することにある。
【課題を解決するための手段】
【０００８】
上記の課題を解決するために、請求項１に記載の発明では、調理器本体の前面パネル側から操作可能に設けられ、調理器本体内のガス流路に設けられた絞り弁を操作して該ガスの流通量を調節することにより火力調節を行うガス調理器における火力調節装置であって、前記前面パネル側から調理器本体の内方に延び、該前面パネル側となる第１端部に操作つまみが設けられ、調理器本体の内方側となる第２端部の近傍が前記絞り弁に揺動可能に連結されたアーム部と、該アーム部における前記第２端部の近辺に設けられた光源と、前記アーム部の両端部にわたって設けられ、前記光源から発せられる光を導光して前記操作つまみを発光させる透光性部材とを備えることを要旨とする。
【０００９】
請求項２に記載の発明では、請求項１に記載のガス調理器における火力調節装置において、前記光源は、前記アーム部に固定され、該アーム部とともに揺動することを要旨とする。
【００１０】
請求項３に記載の発明では、請求項１または請求項２に記載のガス調理器における火力調節装置において、前記アーム部と前記透光性部材との間に、所定の間隙を設けたことを要旨とする。
【００１１】
請求項４に記載の発明では、請求項１〜３のいずれか１項に記載のガス調理器における火力調節装置において、前記透光性部材の光源側端に、光源を囲うように配置された曲面状の集光部を設けたことを要旨とする。
【００１２】
以下、本発明の「作用」について説明する。
請求項１に記載の発明によると、光源から発せられる光は、アーム部の第１端部から第２端部にわたって設けられた透光性部材によって操作つまみに導光され、操作つまみが発光した状態となる。このため、操作つまみの視認性が向上し、操作性が向上する。しかも、光源は、調理器本体の内方側となる第２端部の近辺に設けられている。このため、煮こぼれによる汚れや油汚れなどが光源に付着しにくく、光源からの光が該汚れによって遮られてしまうことが抑制される。また、光源から発せられた光は透光性部材の内部を導光される。このため、たとえ透光性部材の表面に汚れが付着したとしても、該光は、操作つまみまで確実に導光される。よって、操作つまみを確実に発光させることができる。
【００１３】
請求項２に記載の発明によると、光源は、アーム部に固定され、該アーム部とともに揺動する。このため、アーム部をどのように揺動しても、操作つまみから発せられる光の輝度は一定となる。
【００１４】
請求項３に記載の発明によると、アーム部と透光性部材との間には間隙が設けられているため、煮こぼれなどの汚れの原因となる液体が、アーム部と透光性部材との間に入り込みにくくなる。ちなみに、アーム部と透光性部材との間に間隙を設けないようにした場合、該アーム部と透光性部材との間に僅かでも隙間が存在すると、該アーム部と透光性部材との間に生じる表面張力により、前記液体が該隙間内に浸入してしまう。つまり、アーム部と透光性部材との間に間隙を設けないようにした場合には、両者間に僅かな隙間も生じないようにしなければ、該隙間に汚れの原因となる液体が浸潤しやすくなってしまう。このため、アーム部と透光性部材との間に所定の間隙を積極的に設けることにより、該間隙に液体が浸潤してしまうことを抑制することができる。
【００１５】
請求項４に記載の発明によると、透光性部材の光源側端に該光源を囲うような曲面状の集光部を設けることにより、光源から発せられる光を高効率で導光させることが可能となる。
【発明の効果】
【００１６】
以上詳述したように、本発明によれば、操作つまみの視認性を向上させることによって操作性を向上させることができるガス調理器における火力調節装置を提供することができる。
【発明を実施するための最良の形態】
【００１７】
以下、本発明のガス調理器をガスコンロとして具体化した一実施形態を図１〜図７に基づき詳細に説明する。
図１に示すように、本実施形態のガスコンロ１は、図示しないキッチンのカウンタトップに設けられたコンロ配設スペースに装着される、いわゆるドロップイン式ガスコンロとなっている。
【００１８】
ガスコンロ１を構成する調理器本体としてのコンロ本体２の上部には耐熱ガラス板からなる天板３が設けられており、該天板３には複数（ここでは３つ）の燃焼部４が設けられている。そして、これら燃焼部４には、それぞれ五徳５が設置されている。
【００１９】
図２に併せ示すように、コンロ本体２の前面パネル２ａの略中央には、該コンロ本体２内に設けられたグリル部（図示略）の開閉を行うためのグリル扉６が設けられている。また、該前面パネル２ａにおけるグリル扉６の両側には、各燃焼部４及びグリル部の点火・消火操作を個別に行うための点火操作部７と、該燃焼部４及びグリル部の火力調節を行うための火力調節装置１１がそれぞれ設けられている。
【００２０】
また、図３に示すように、コンロ本体２内には、開閉弁機構２１が配設されている。この開閉弁機構２１は、燃焼部４やグリル部へのガス流路に設けられ、弁軸２２の移動によって内部の弁体（図示略）を開閉させて燃焼部４やグリル部へのガスの供給可否を制御する構造体である。そこで、こうした開閉弁機構２１を含むコンロ本体２内に配設された各種構成について説明する。
【００２１】
開閉弁機構２１は、従来慣用されている公知の構造をなし、下方に開閉弁２３を有し、その上部に絞り弁２４が連設されている。開閉弁２３には流入口２３ａが設けられ、絞り弁２４には流出口２４ａが設けられている。そして、該流入口２３ａから流入するガスは、開閉弁２３及び絞り弁２４内を流通して流出口２４ａから吐出され、燃焼部４やグリル部に供給される。
【００２２】
前記弁軸２２は開閉弁２３の前部（前面パネル２ａ側部）に設けられ、前面パネル２ａ側とコンロ本体２の内部側とに移動可能となっている。そして、開閉弁２３は、弁軸２２が前面パネル２ａ側に位置する状態（消火位置）にあっては、前記弁体を閉状態にして流入口２３ａから流出口２４ａへのガスの流通を遮断する。また、開閉弁２３は、弁軸２２がコンロ本体２の内部側に位置する状態（点火位置）にあっては、前記弁体を開状態にして流入口２３ａから流出口２４ａへのガスの流通を可能にする。
【００２３】
こうした弁軸２２は、押圧操作されて消火位置から点火位置に移動すると点火位置に保持され、点火位置において押圧操作されると点火位置から消火位置に移動する機構（プッシュプッシュ機構）となっている。つまり、弁軸２２は、押圧操作される毎に、消火位置または点火位置に移動する。そして、弁軸２２は、先端が前記点火操作部７に当接し、該点火操作部７の押圧操作によって移動するようになっている。このため、開閉弁２３は、弁軸２２を介した点火操作部７の押圧操作によって開閉動作する。
【００２４】
一方、絞り弁２４は、傾斜したカム溝２４ｂに案内されるピン２４ｃを有する弁体（図示略）を有し、該弁体の上下動によって流出口２４ａから吐出するガス量を調節する。絞り弁２４の側面（紙面手前側の面）には、縦レバー２５が支軸２５ａで枢着されている。また、縦レバー２５の上方に設けられた上向きの溝２５ｂには前記ピン２４ｃが係合され、上端部が火力調節装置１１のアーム部１２に係合した状態となっている。そして、該縦レバー２５の下端の受面２５ｄが弁軸２２の突部２２ａに対向している。
【００２５】
次に、火力調節装置１１の構成について説明する。
図３〜図５に示すように、火力調節装置１１は、アーム部１２、操作つまみ１３、ライトガイド１４及び光源１５を備えている。
【００２６】
アーム部１２はレバー状をなす金属製の板状物によって構成され、第１端部が前面パネル２ａから外部に突出し、第２端部がコンロ本体２の内方に延びた状態で配設されている。アーム部１２の第１端部には操作つまみ１３が設けられ、第２端部の近傍（図４及び図７に示すポイントＰ０の箇所）は、前記絞り弁２４の上部に枢着されている。このため、操作つまみ１３は、図２に示す左右方向に揺動可能に連結された状態となっている。また、図４に示すように、アーム部１２における該枢着箇所の近傍には、該アーム部１２の幅方向に延びる突片１２ａが形成されている。この突片１２ａはアーム部１２が延びる方向に対して所定角度をなすように斜めに設けられ、該突片１２ａには、長孔状の孔部１２ｂが透設されている。そして、該孔部１２ｂには、開閉弁機構２１の縦レバー２５の上端が挿通されている。したがって、アーム部１２を左右に揺動すると、該アーム部１２の孔部１２ｂは前後動し、縦レバー２５は支軸２５ａを支点に回動し、ピン２４ｃをカム溝２４ｂ内で滑らせて弁体を上下動する。このため、例えば図７に示す強火位置の方向へアーム部１２を揺動すると、縦レバー２５が支軸２５ａを中心に反時計方向（図３に示す矢印Ａ方向）に回動し、弁体は上方に上昇してガス流路の開度を増大させる。一方、例えば図７に示す弱火位置の方向へアーム部１２を揺動すると、縦レバー２５が支軸２５ａを中心に時計方向に回動し、弁体は上方に上昇してガス流路の開度を減少させる。また、点火操作部７の押圧操作に伴って弁軸２２がコンロ本体２の内方へ移動されると、開閉弁２３が開状態となるとともに、該弁軸２２の突部２２ａによって縦レバー２５の受面２５ｄが押圧され、火力調節装置１１と共に絞り弁２４を開方向に移動させる。
【００２７】
ところで、アーム部１２の第２端部には、光源１５が固着されている。光源１５は、ＬＥＤからなる発光体１５ａを備え、該発光体１５ａが第１端部側を向くように配設されている。このため、図７に示すように、アーム部１２が前記ポイントＰ０を支点として揺動しても、発光体１５ａは、常にアーム部１２の第１端部側を向く。
【００２８】
また、アーム部１２の上部には、第１端部から第２端部の近傍にわたって、ライトガイド１４が固着されている。このライトガイド１４はポリカーボネートやナイロンからなる透光性部材であり、図４に示すようにアーム部１２よりも幅狭に形成されている。
【００２９】
図５及び図６に示すように、ライトガイド１４の下面には、該ライトガイド１４が延びる方向と同方向に延びる一対の突条１４ａが形成されている。図６に示すように、これら突条１４ａは所定の高さＣとなるように形成され、該突条１４ａの下面がアーム部１２の上面に固着されることにより、ライトガイド１４がアーム部１２に固定されている。このため、アーム部１２の上面とライトガイド１４の下面との間には、高さＣ分の間隙が設けられた状態となる。
【００３０】
図３〜図５に示すように、ライトガイド１４におけるアーム部１２の第１端部側端は操作つまみ１３の一部を構成するつまみ構成部位１４ｂが設けられ、該操作つまみ１３の上面側に露出した状態となっている。また、該つまみ構成部位１４ｂにおける露出部分はブラスト加工されている。一方、ライトガイド１４におけるアーム部１２の第２端部側端には、該ライトガイド１４の一部からなり、発光体１５ａを囲うように配置された曲面状の集光部１４ｃが設けられている。この集光部１４ｃは、アーム部１２よりも幅広に形成され、平面視において円弧の一部となる凹状の曲面によって構成されている。このため、発光体１５ａから発せられた光は、該集光部１４ｃによって効率的に集光されるとともに、ライトガイド１４によって操作つまみ１３側に導光される。ライトガイド１４における操作つまみ１３に露出する箇所はブラスト加工されているため、導光された光は該露出箇所から外部に放射される。よって、光源１５から光が発せられると、操作つまみ１３が発光した状態となる。
【００３１】
このように構成された火力調節装置１１にあっては、図７に実線で示すような強火位置から同図に２点鎖線で示すような弱火位置まで揺動可能となっており、その中間位置が中火位置となっている。そして、火力調節装置１１は、これらどの位置にあってもアーム部１２及びライトガイド１４が延びる方向の延長線上に光源１５が存在するようになる。よって、火力調節装置１１が強火位置、中火位置及び弱火位置のうちのどの位置にあったとしても、光源１５から発せられる光は安定して操作つまみ１３に導光される。それゆえ、火力調節装置１１がどの位置にあったとしても、操作つまみ１３から発光される光の輝度は一定となる。なお、図７においては、アーム部１２に設けられた突片１２ａを省略して示すものとする。
【００３２】
したがって、本実施形態によれば以下のような効果を得ることができる。
（１）光源１５から発せられる光は、アーム部１２の第１端部から第２端部にわたって設けられたライトガイド１４によって操作つまみ１３に導光され、操作つまみ１３が発光した状態となる。このため、操作つまみ１３の視認性が向上し、操作性が向上する。しかも、光源１５は、コンロ本体２の内方側となる第２端部の近辺に設けられている。このため、煮こぼれによる汚れや油汚れなどが光源１５に付着しにくく、光源１５からの光が該汚れによって遮られてしまうことが抑制される。特に、ガスコンロ１においては、コンロ本体２内における開閉弁機構２１の構造上、絞り弁２４が前面パネル２ａから離間した位置に配設される。このため、アーム部１２を長く構成するとともに、アーム部１２と絞り弁２４との枢着部位をコンロ本体２の内方に設定する必要がある。よって、光源１５をアーム部１２の第２端部に設けることにより、光源１５がコンロ本体２の内方に位置されることとなるため、煮こぼれによる汚れや油汚れなどが光源１５に付着しにくくなる。また、光源１５から発せられた光はライトガイド１４の内部を導光されるため、たとえライトガイド１４の表面に汚れが付着したとしても、該光は、操作つまみ１３まで確実に導光される。よって、操作つまみ１３を確実に発光させることができる。したがって、操作つまみ１３の視認性を向上させることができ、火力調節装置１１の操作性を向上させることができる。また、前面パネル２ａが光によって装飾された状態となるため、該前面パネル２ａの外観上の見栄えもよくなる。すなわち、ガスコンロ１の意匠性も向上する。
【００３３】
（２）光源１５は、アーム部１２に固定され、該アーム部１２とともに揺動する。このため、アーム部１２をどのように揺動しても、操作つまみ１３から発せられる光の輝度は一定となる。すなわち、操作つまみ１３から発せられる光の輝度を均一にすることができる。
【００３４】
（３）アーム部１２とライトガイド１４との間には高さＣ分の間隙が積極的に設けられているため、煮こぼれなどの汚れの原因となる液体が、アーム部１２とライトガイド１４との間に入り込みにくくなる。ちなみに、アーム部１２とライトガイド１４との間に間隙を設けないようにした場合、該アーム部１２とライトガイド１４との間に僅かでも隙間が存在すると、該アーム部１２とライトガイド１４との間に生じる表面張力により、前記液体が該隙間内に浸入してしまう。つまり、アーム部１２とライトガイド１４との間に間隙を設けないようにした場合には、両者間に僅かな隙間も生じないようにしなければ、該隙間に汚れの原因となる液体が浸潤しやすくなってしまう。このため、アーム部１２とライトガイド１４との間に所定の間隙を積極的に設けることにより、該間隙に液体が浸潤してしまうことを抑制することができる。
【００３５】
（４）ライトガイド１４の光源１５側端には、該光源１５を囲うような曲面状の集光部１４ｃが設けられている。このため、光源１５から発せられる光が該集光部１４ｃによって確実に集光される。よって、光源１５から発せられる光を高効率で導光させることができる。
【００３６】
（５）光源１５は、アーム部１２及びライトガイド１４が延びる方向の延長線上に配設されている。このため、光源１５から発せられる光は、ライトガイド１４内を直線的に導光されて操作つまみ１３から外部に放射される。このため、操作つまみ１３を高い輝度で発光させることができる。
【００３７】
なお、本発明の実施形態は以下のように変更してもよい。
・  前記実施形態において、ライトガイド１４は、アーム部１２よりも幅狭に構成され、該アーム部１２の上面に固着されている。しかし、例えば図８（ａ）に示すように、ライトガイド１４は、アーム部１２よりも幅広に構成されるとともに、該アーム部１２の上面及び両側面を覆うように、アーム部１２に固着されていてもよい。このようにすれば、アーム部１２とライトガイド１４との接続強度を高めることができる。また、アーム部１２とライトガイド１４との接合端がアーム部１２の下面側となるため、該接合端から両者間の隙間に汚れの原因となる液体が入り込みにくくなる。
【００３８】
また、こうした変更例に限らず、例えば図８（ｂ）に示すように、ライトガイド１４は、アーム部１２よりも幅狭に構成されるとともに、該アーム部１２の下面側に固着されていてもよい。このようにしても、アーム部１２とライトガイド１４との接合端がアーム部１２の下面側となるため、該接合端から両者間の隙間に汚れの原因となる液体が入り込みにくくなる。
【００３９】
なお、上記各図にも示すように、前記実施形態においてライトガイド１４に設けられた突条１４ａを省略し、アーム部１２とライトガイド１４との間に所定の間隙（高さＣ分の間隙）を積極的に設けないようにしてもよい。
【００４０】
・  前記実施形態において、光源１５はアーム部１２と一体に設けられ、該アーム部１２とともに揺動されるようになっている。しかし、例えば図９に示すように、光源１５は、アーム部１２に固着されている必要はなく、該アーム部１２とともに揺動されないようになっていてもよい。このようにしても、例えば図１０に示すように、操作つまみ１３が強火位置、中火位置及び弱火位置のうちのどの位置にあったとしても、光源１５から発せられる光は集光部１４ｃによって確実に集光されるため、均一な輝度で操作つまみ１３から発光される。なお、図１０においては、アーム部１２に設けられた突片１２ａを省略して示すものとする。
【００４１】
・  前記実施形態において、光源１５は、ライトガイド１４が延びる方向の延長線上に設けられている。しかし、例えば図１１（ａ），（ｂ）に示すように、光源１５は、アーム部１２の第２端部近辺におけるライトガイド１４の上方に配設されていてもよい。詳しくは、各図に示すように、ライトガイド１４におけるアーム部１２の第２端部側端に、上方に延びる集光部１４ｃを設ける。そして、集光部１４ｃの上端に、光源１５の発光体１５ａを囲う凹状の集光面１４ｄを設ける。このようにしても、光源１５から発せられた光をライトガイド１４によって操作つまみ１３に導光させることができる。
【００４２】
なお。これら変更例では、集光面１４ｄは、アーム部１２の揺動支点（ポイントＰ０）での垂直線Ｖ上に設けられている。また、図１１（ａ）においては、光源１５は、アーム部１２に対して垂直となる位置（垂直線Ｖ上）に配設され、図１１（ｂ）においては、光源１５は、アーム部１２に対して約４５゜上方となる位置に配設されている。そして、これら何れの場合も、垂直線Ｖ上に光源１５の発光体１５ａの先端が位置するようになっている。このため、操作つまみ１３が強火位置、中火位置及び弱火位置のうちのどの位置にあったとしても、光源１５から発せられる光は集光部１４ｃによって確実に集光されるため、操作つまみ１３を均一な輝度で発光させることができる。
【００４３】
・  光源１５の発光体１５ａとして、例えば多色発光のＬＥＤを用いてもよい。そして、火力調節位置に応じて、発光色を変化させるようにしてもよい。例えば、発光体１５ａとして三色の発光態様を有するＬＥＤを用いる。そして、操作つまみ１３が強火位置にあるときには該発光体１５ａを赤色で発光させ、該操作つまみ１３が中火位置にあるときには該発光体１５ａを橙色で発光させ、該操作つまみ１３が弱火位置にあるときには該発光体１５ａを緑色で発光させる。また、発光体１５ａとしてフルカラーＬＥＤを用い、消火状態にあるときに白色で発光させるなどしてもよい。このようにすれば、操作者は、火力調節位置をより確実且つ容易に認識することができる。
【００４４】
・  ガスコンロ１は、ドロップイン式ガスコンロに限らず、据え置き式のガスコンロとなっていてもよい。また、ガス調理器は、前記実施形態に示したようなグリル付きのガスコンロ１に限らず、例えばグリル部を有していないガスコンロや、グリル部のみによって構成されたガスグリルや、ガスオーブンなどとして具体化されてもよい。すなわち、本発明に係る火力調節装置１１は、各種ガス調理器に適用されてもよい。
【００４５】
次に、特許請求の範囲に記載された技術的思想のほかに、前述した実施形態によって把握される技術的思想を以下に列挙する。
（１）  請求項１〜３のいずれか１項に記載のガス調理器における火力調節装置において、前記光源は、前記アーム部が延びる方向の延長線上に配設されていること。この技術的思想（１）に記載の発明によれば、操作つまみを高い輝度で発光させることができる。
【００４６】
（２）  請求項１〜３、技術的思想（１）のいずれか１項に記載のガス調理器における火力調節装置において、前記光源は、前記操作つまみの火力調節位置に応じて、異なる色で発光すること。この技術的思想（２）に記載の発明によれば、操作者は、火力調節位置をより確実且つ容易に認識することができる。
【００４７】
（３）  調理器本体内に設けられたガス供給流路を流通するガス量を調節する絞り弁と、該ガス量の調節を行うべく調理器本体の前面パネル側から揺動操作可能に設けられた火力調節装置とを備えたガス調理器であって、前記火力調節装置は、前記前面パネル側から調理器本体の内方に延び、該前面パネル側となる第１端部に操作つまみが設けられ、調理器本体の内方側となる第２端部が前記絞り弁に揺動可能に連結されたアーム部と、該アーム部における前記第２端部の近辺に設けられた光源と、前記アーム部の両端部にわたって設けられ、前記光源から発せられる光を導光して前記操作つまみを発光させる透光性部材とを備えること。
【図面の簡単な説明】
【００４８】
【図１】本発明の一実施形態のガスコンロを示す斜視図。
【図２】同実施形態のガスコンロを示す正面図。
【図３】図２のＡ−Ａ線断面図。
【図４】同実施形態の火力調節装置を概略的に示す平面図。
【図５】図４のＢ−Ｂ線断面図。
【図６】図４のＣ−Ｃ線断面図。
【図７】同実施形態の火力調節装置の動作状態を概略的に示す平面図。
【図８】（ａ），（ｂ）は、他の実施形態の火力調節装置において、図４のＣ−Ｃ線と同位置で破断した断面図。
【図９】他の実施形態の火力調節装置を概略的に示す平面図。
【図１０】同実施形態の火力調節装置の動作状態を概略的に示す平面図。
【図１１】（ａ），（ｂ）は、他の実施形態の火力調節装置において、図４のＢ−Ｂ線と同位置で破断した断面図。
【符号の説明】
【００４９】
１…ガス調理器としてのガスコンロ、２…調理器本体としてのコンロ本体、２ａ…前面パネル、１１…火力調節装置、１２…アーム部、１３…操作つまみ、１４…導光性部材としてのライトガイド、１４ａ…突条、１４ｃ…集光部、１５…光源、１５ａ…発光体、２４…絞り弁。
【図１】
2005331161.tif 000003
【図２】
2005331161.tif 000004
【図３】
2005331161.tif 000005
【図４】
2005331161.tif 000006
【図５】
2005331161.tif 000007
【図６】
2005331161.tif 000008
【図７】
2005331161.tif 000009
【図８】
2005331161.tif 000010
【図９】
2005331161.tif 000011
【図１０】
2005331161.tif 000012
【図１１】
2005331161.tif 000013